【手続補正書】
【提出日】平成17年4月12日(2005.4.12)
【手続補正１】
【補正対象書類名】明細書
【補正対象項目名】特許請求の範囲
【補正方法】変更
【補正の内容】
【特許請求の範囲】
【請求項１】
回転シャフトに機械的に結合された発動機と、
前記シャフトに機械的に結合されたロータと該ロータに磁気的に結合されたステータとを有し、それにより発電機出力をもたらす発電機と、
前記発電機出力と電気的に連絡するインバータ入力を有し、該インバータ入力からの電力をインバートしてインバータ出力をもたらすインバータと、
前記発動機に結合されており、フィードバック入力を有するコントローラと、
溶接出力および前記フィードバック入力に接続されており、少なくとも１つの溶接出力動作パラメータに応答するフィードバック信号が前記フィードバック入力に与えられるようにしたフィードバック回路と、
を具備するスタンドアロン形溶接用電源。
【請求項２】
前記発動機はスピード制御装置を含み、前記コントローラは該スピード制御装置に接続された出力を含み、前記発動機のスピードは前記フィードバック信号に応答して制御される、請求項１に記載の電源。
【請求項３】
前記スピード制御装置は前記フィードバック信号に応答してアイドルスピードとランスピードとの間で選択するアイドル／ラン・セレクタを含む、請求項２に記載の電源。
【請求項４】
前記コントローラは、スロットル位置、燃料ポンプ、噴射タイマ、空燃比、燃料消費量、および点火タイミングの少なくとも１つを制御する手段を含む、請求項１に記載の電源。
【請求項５】
前記少なくとも１つの動作パラメータは溶接電流である、請求項１に記載の電源。
【請求項６】
前記少なくとも１つの動作パラメータは溶接電圧である、請求項１に記載の電源。
【請求項７】
前記少なくとも１つの動作パラメータは溶接電圧をさらに含む、請求項５に記載の電源。
【請求項８】
前記フィードバック回路は掛け算器を含んでおり、該掛け算器は電圧を表す信号と電流を表す信号とを掛け合わせて電力を表す信号を得、前記フィードバック回路は前記電力を表す信号を積分する積分器を含んでいる、請求項７に記載の電源。
【請求項９】
前記インバータを交流出力に接続する整流器をさらに含み、前記インバータは整流されたエネルギーを蓄積する少なくとも１つの入力エネルギー蓄積装置を含み、前記コントローラは、蓄積されたエネルギーが所定しきい値より少なくなると前記発動機のスピードを増大させるようにした請求項２に記載の電源。
【請求項１０】
前記動作パラメータは前記出力におけるリップルの関数である、請求項１に記載の電源。
【請求項１１】
前記インバータ出力に接続された、直流溶接出力をもたらす整流器をさらに含む、請求項１に記載の電源。
【請求項１２】
前記発電機は直流発電機である、請求項１に記載の電源。
【請求項１３】
前記発電機は交流発電機であり、前記インバータは入力整流器を含む、請求項１に記載の電源。
【請求項１４】
回転シャフトに機械的に結合された発動機と、
前記シャフトに機械的に結合されたロータと該ロータに磁気的に結合されたステータとを有し、それにより発電機出力をもたらす発電機と、
前記発電機出力と電気的に連絡しているインバータ入力を持ち、該インバータ入力からの電力をインバートしてインバータ出力をもたらすインバータと、
前記発動機に結合されており、フィードバック入力を有し、前記発動機を制御するコントロール手段と、
溶接出力および前記フィードバック入力に接続されており、少なくとも１つの溶接出力動作パラメータに応答してフィードバック信号を前記フィードバック入力に与えるフィードバック手段と、
を具備するスタンドアロン形溶接用電源。
【請求項１５】
前記発動機はスピード制御手段を含み、前記コントロール手段は該スピード制御手段に接続された出力を含み、前記発動機のスピードは前記フィードバック信号に応答して制御される、請求項１４に記載の電源。
【請求項１６】
前記スピード制御手段は前記フィードバック信号に応答してアイドルスピードとランスピードとの間で選択するアイドル／ラン・セレクタ手段を含む、請求項１５に記載の電源。
【請求項１７】
前記コントロール手段はスロットル位置、燃料ポンプ、噴射タイマ、空燃比、燃料消費量、および点火タイミングの少なくとも１つを制御する手段を含む、請求項１４に記載の電源。
【請求項１８】
前記少なくとも１つの動作パラメータは溶接電流である、請求項１４に記載の電源。
【請求項１９】
前記少なくとも１つの動作パラメータは溶接電圧である、請求項１４に記載の電源。
【請求項２０】
前記少なくとも１つの動作パラメータは溶接電圧をさらに含む、請求項１８に記載の電源。
【請求項２１】
前記フィードバック手段は、電圧を表す信号と電流を表す信号とを掛け合わせて電力を表す信号を得る掛け算手段を含んでおり、前記フィードバック手段は前記電力を表す信号を積分する積分手段を含んでいる、請求項２０に記載の電源。
【請求項２２】
前記インバータは前記インバータによりインバートされるべきエネルギーを蓄積するための少なくとも１つの入力エネルギー蓄積手段を含み、前記コントロール手段は、蓄積されたエネルギーが所定しきい値より少なくなると前記発動機のスピードを増大させる手段をさらに含む、請求項１５に記載の電源。
【請求項２３】
前記動作パラメータは前記出力におけるリップルの関数である、請求項１４に記載の電源。
【請求項２４】
前記インバータ出力に接続されて直流溶接出力をもたらす整流手段をさらに含む、請求項１４に記載の電源。
【請求項２５】
前記発電機は直流発電機である、請求項１４に記載の電源。
【請求項２６】
前記発電機は交流発電機であり、前記インバータは整流器を含む、請求項１４に記載の電源。
【請求項２７】
エンジンと発電機により電気的出力を発生し、
電気的入力をインバートして交流インバータ出力をもたらし、
溶接出力動作パラメータを表すフィードバックを用いてエンジンを制御する、というステップを備える溶接電力提供方法。
【請求項２８】
エンジンのスピードは前記フィードバックに応答して制御される、請求項２７に記載の方法。
【請求項２９】
前記制御するステップは前記フィードバックに応答してアイドルスピードとランスピードとの間で選択するステップを含む、請求項２８に記載の方法。
【請求項３０】
制御するステップは、スロットル位置、燃料ポンプ、噴射タイマ、空燃比、燃料消費量、および点火タイミングの少なくとも１つを制御するステップを含む、請求項２７に記載の方法。
【請求項３１】
溶接電流に応答するフィードバックをもたらすステップを含む、請求項２８に記載の方法。
【請求項３２】
前記少なくとも１つの動作パラメータは溶接電圧である、請求項１に溶接電圧に応答するフィードバックをもたらすステップを含む、請求項２８に記載の方法。
【請求項３３】
溶接電力に応答するフィードバックをもたらすステップを含む、請求項２８に記載の方法。
【請求項３４】
電圧を表す信号と電流を表す信号とを掛け合わせて電力を表す信号を得るステップと、前記電力を表す信号を積分するステップとをさらに含む、請求項３３に記載の方法。
【請求項３５】
整流後のエネルギーを蓄積するステップを含み、前記制御するステップは、蓄積されたエネルギーが所定しきい値より少なくなるとエンジンのスピードを増大させるステップを含む、請求項２８に記載の方法。
【請求項３６】
前記フィードバックは出力におけるリップルに応答する、請求項３１に記載の方法。
【請求項３７】
発電するステップは、直流出力を発電するステップを含む、請求項２７に記載の方法。
【請求項３８】
前記インバータ出力を整流して直流溶接出力をもたらすステップを含む、請求項３１に記載の方法。
【請求項３９】
前記発電をするステップは交流出力を発生するステップを含み、前記インバートするステップは整流するステップを含む、請求項２７に記載の方法。
【請求項４０】
回転シャフトに機械的に結合された発動機と、
前記シャフトに機械的に結合されたロータと該ロータに磁気的に結合されたステータとを有し、それにより発電機出力をもたらす発電機と、
前記発電機出力と電気的に連絡しているコンバータ入力を持つコンバータであって、該コンバータは該コンバータ入力からの電力を変換してコンバータ出力をもたらすものと、
前記発動機に結合されており、フィードバック入力を有し、前記発動機を制御するコントロール手段であって、前記発動機のスピードはスピードのある範囲にわたるフィードバック信号に応答して制御されて十分な出力電力を与えるものと、
溶接出力および前記フィードバック入力に接続されており、前記フィードバック入力への電力に応答してフィードバック信号を前記フィードバック入力に与えるフィードバック手段と、
を具備するスタンドアロン形溶接用電源。
【請求項４１】
回転シャフトに機械的に結合された発動機と、
前記シャフトに機械的に結合されたロータと該ロータに磁気的に結合されたステータとを有し、それにより発電機出力をもたらす発電機と、
前記発電機出力と電気的に連絡しているコンバータ入力を持ち、該コンバータ入力からの電力を変換してコンバータ出力をもたらすコンバータと、
前記発動機に結合されており、フィードバック入力を有し、前記発動機を制御するコントロール手段であって、前記発動機のスピードはスピードのある範囲にわたるフィードバックに応答して制御されて十分な出力電力を与えるものと、
溶接出力および前記フィードバック入力に接続されており、少なくとも一つの溶接出力動作パラメータに応答してフィードバック信号を前記フィードバック入力に与えるフィードバック手段と、
を具備するスタンドアロン形溶接用電源。
【請求項４２】
回転シャフトに機械的に結合された発動機と、
発電機の電気出力をもたらす発電機であって、前記シャフトに機械的に結合されたロータと該ロータに磁気的に結合されたステータとを有し、それにより前記発電機出力をもたらすものと、
前記発電機出力と電気的に連絡しているコンバータ入力を持ち、該コンバータ入力からの電力を変換して溶接出力をもたらす溶接用電力コンバータと、
前記発電機出力と電気的に連絡している補助入力を有する補助電力インバータであって、該補助インバータは前記補助インバータ入力からの電力をインバーとして補助電力出力を提供するものと、
を具備するスタンドアロン形溶接用電源。
【請求項４３】
回転シャフトをチューニングする発動機手段と、
発電機の電気出力をもたらす発電機手段であって、前記発電機手段は前記発動機に接続されているものと、
前記発電機の電気的出力を受け取って溶接用電力を提供する溶接用電力手段であって、前記発電機手段に接続されているものと、
前記発電機手段の電気的出力をインバートして補助電力出力を提供する補助電力手段であって、前記発電機手段に接続されているものと、
を具備するスタンドアロン形溶接用電源。
【請求項４４】
エンジンと発電機により電気的出力を発生し、
電気的入力をコンバートして交流コンバータ出力をもたらし、
電力を表すフィードバックを用いてエンジンを制御する、というステップを備える溶接電力提供方法。
【請求項４５】
エンジンと発電機により電気的出力を発生し、
前記電気的出力をコンバートして溶接用出力を提供し、
電気的入力をインバーとして補助出力を提供する
溶接用電源の提供方法。
【手続補正２】
【補正対象書類名】明細書
【補正対象項目名】００２３
【補正方法】変更
【補正の内容】
【００２３】
コンバータ１０８は又、好ましい実施例においては、インバータ１０９と、平滑され整流された直流信号を（適当な電流及び電圧を持つ）溶接用出力に変換する整流器１１１とを含んでいる。コンバータ１０８は、好ましい実施例においては、直列共振コンバータと出力整流器である。直列共振コンバータは直流バスをインバートし、出力整流器は溶接用出力１１２に直流溶接用電流を生成する。交流出力が他の実施例において使用される。適切な直列共振コンバータは、本発明の譲受人が所有し、本明細書に参考のために組み込まれる米国特許出願シリアル番号第０８／５８４，４１２号に詳細に記載されている。このコンバータはまた、本発明の譲受人のＸＭＴ３０４（商標名）電源として市場で入手可能である。